(57)【特許請求の範囲】
【請求項１】
コネクタへのケーブル結線構造であって、
コネクタは、
コンタクト（１２）と、
コンタクト（１２）に直接又は間接的にケーブル（１）の芯線（１ａ）を結線するための弾性片（１１ｂ）を有する結線弾性部材（１１）と、
結線前の状態において、弾性片（１１ｂ）を反付勢方向に開放規制している開放部材（１３）とを有し、
弾性片（１１ｂ）は、芯線（１ａ）が挿入されるロ字形状に切り欠いた芯線挿入部（１１ｃ）と、芯線挿入部（１１ｃ）のロ字形状の開口上辺部に結線部（１１ｄ）を形成してあり、
開放部材（１３）は一対の立設片（１３ｂ）を立設し、
立設片（１３ｂ）で結線部（１１ｄ）を仮受けすることで、弾性片（１１ｂ）を反付勢方向に仮受けし、
芯線（１ａ）を芯線挿入部（１１ｃ）に挿入し、
仮受けされていた結線部（１１ｄ）の規制を解除すると、弾性片（１１ｂ）が弾性復帰してケーブル（１）がコネクタに結線されることを特徴とするケーブル結線構造。
【請求項２】
請求項１のケーブル結線構造からなることを特徴とするコネクタ。
【発明の詳細な説明】
【技術分野】
【０００１】
本発明は、コネクタのコンタクト端子にケーブルの芯線を結線するための結線構造に関する。
【背景技術】
【０００２】
例えば、複数のソーラーパネルを中継コネクタを用いて制御部とケーブル接続を行う場合、例えばプラグターミナル，ソケットターミナル等をケーブルの芯線に圧着工具を用いて圧着結線し、その後にコネクタハウジングに装着し、さらに防水カバー等にて防水コネクタとすることが行われている（特許文献１）。
しかし、このようなソーラーパネル等の設置現場においてターミナルとケーブルの芯線とを専用圧着工具等を用いて結線する作業では、ターミナルと専用工具を持ち歩く必要があり、特に高所作業になるとターミナルや専用工具を落としてしまう等、現場作業性に問題があった。
【先行技術文献】
【特許文献】
【０００３】
【特許文献１】特許４７７５９０７号公報
【発明の概要】
【発明が解決しようとする課題】
【０００４】
本発明は、コネクタ等にケーブルを結線する際の結線作業性に優れるケーブル結線構造及びそれを用いたコネクタの提供を目的とする。
【課題を解決するための手段】
【０００５】
本発明に係るケーブル結線構造は、コネクタへのケーブル結線構造であって、コネクタは、コンタクトと、当該コンタクトに直接又は間接的にケーブルの芯線を弾性結線するための結線弾性部材と、前記芯線の結線前の状態において当該結線弾性部材を反付勢方向に開放規制している開放部材とを有し、前記芯線をコンタクトと結線弾性部材の間に挿入し、前記開放部材の開放規制を解除すると芯線が結線弾性部材によりコネクタに結線されるものであることを特徴とする。
ここでコネクタとは、例えばソーラーパネル等のケーブル接続等に用いられる中継コネクタのみならず、ケーブルを電気接続するための各種コネクタが含まれる。
本明細書にて結線と表現したのは、ケーブルの芯線が抜け落ちないように電気接続することをいう。
また、開放規制とは芯線が結線される前の状態に開放されていることをいう。
【０００６】
本発明において、結線弾性部材は弾性片を有し、弾性片はケーブルの芯線が挿入される芯線挿入部と、当該芯線挿入部を形成した端部に結線部を形成してあり、前記開放部材は芯線の結線前において前記弾性片を反付勢方向に開放規制するものであってよく、開放部材は芯線の結線前において前記弾性片を反付勢方向に仮受けするための立設片を有するものでもよい。
さらに具体的な例として、弾性片は門構えロ字形状に切り欠いた芯線挿入部を形成してあり、前記ロ字形状の開口上辺部に結線部を形成してあり、前記開放部材は前記芯線挿入部に沿って両側から一対の立設片を立設し、前記結線部を仮受けしてあり、ケーブルの芯線を前記一対の立設片の間から挿入し、前記仮受けされていた結線部の規制を解除すると、弾性片が弾性復帰し結線されるものであってもよい。
【０００７】
以上のような構造からなるコネクタは、現地結線作業性に優れる。
【発明の効果】
【０００８】
本発明に係るケーブルの結線構造は、ケーブルの芯線をコンタクトに結線するための結線弾性部材を開放部材にて仮に開放状態に規制しておき、ケーブルの芯線をコンタクト側と結線弾性部材との間に挿入し、開放部材の規制を解除するだけで結線弾性部材が弾性復帰し結線ができるので、現場結線作業性に優れる。
この場合に結線部を有する弾性片を開放部材の立設片に仮受けした状態にしたものを採用すると、弾性片をドライバー等の一般工具を用いて立設片から持ち上げ、外すだけで結線できる。
【図面の簡単な説明】
【０００９】
【図１】本発明に係る結線構造例を示し、（ａ），（ｂ）はケーブルの芯線をコンタクト側と結線弾性部材との間に挿入した状態を示し、（ｃ）は仮受けされていた弾性片（結線部）を立設片から開放し、結線した状態を示す。
【図２】（ａ）〜（ｃ）は結線金具にケーブルの芯線を挿入結線する状態の斜視図を示す。
【図３】結線金具の部品構成例を示し、（ａ）は分解図、（ｂ），（ｃ）は組立図を示す。
【図４】（ａ）はカバー部材で防止を図った構造例を示し、（ｂ）はケーブルの芯線を取り外す状態を示す。
【図５】（ａ）〜（ｄ）は本発明に係る結線構造をソケットコネクタに適用した例の外観図を示し、（ｅ）はプラグコネクタと連結した例を示す。（ｂ）は正面図、（ａ）はソケット側の側面視、（ｃ）はケーブル挿入側の側面視、（ｄ）は枢着軸側の側面視を示す。
【発明を実施するための形態】
【００１０】
本発明係るケーブルの結線構造を図５に示したソーラーパネルの中継コネクタに適用した例に基づいて以下説明するが、本発明はこれに限定されない。
【００１１】
図１は図４の上カバー部材４０を開いた状態の断面図を示し、下カバー部材４１のみ表してある。
図２は結線金具の部分を外観図として示し、図３は結線金具の構成例を示す。
本実施例は、ソケットターミナルの例であり、製作性，ハウジングへの組立性を考慮して３つの部品で構成した例となっているが、これらを１つの金具として一体的に形成してもよく、またさらに分解してもよい。
本実施例は、結線弾性部材１１に開放部材１３を組み込み、この開放部材１３と結線弾性部材１１との間にコンタクト１２を差し込み連結した例になっている。
【００１２】
結線弾性部材１１は、ベース部１１ａの一端を裏面側に折返し、さらにその先を略Ｌ字状に折り曲げて弾性片１１ｂを立設形成してある。
このように弾性片１１ｂをベース部１１ａの裏側から折り返すように立設すると、弾性片の上下方向弾性変形量を大きくとることができる。
弾性片１１ｂは、ロ字形状に部分的に切り欠いて芯線挿入部１１ｃを形成してある。
これにより、弾性片１１ｂは門構え状になり、開口部の上辺端部がケーブルの芯線にくい込む結線部１１ｄとなる。
また、弾性片１１ｂは図３において前後方向の剛性アップを目的に左右端部が後方に折り曲げた形状になっている。
結線部１１ｄの上方には、図４（ｂ）に示すようにドライバー２の先で弾性片１１ｂの上下操作可能になるように左右方向長孔形状の操作部１１ｅを設けてある。
【００１３】
開放部材１３は、弾性片１１ｂを開放状態に仮受けするためのものであり、本実施例では基部１３ａの左右両側から一対の立設片１３ｂを立ち上げることで立設片１３ｂの上端部に、結線部１１ｄとなる芯線挿入部１１ｃの開口上辺端部を仮受けするための接点受け部１３ｃを少し凹ませて形成してある。
したがって、左右一対の立設片１３ｂの間隔は芯線挿入部１１ｃの左右開口幅より小さく設定されている。
本実施例では、立設片１３ｂの前方に延在させた弾性補助接点部１３ｅを有する例となっているが、これは必ずしも必要でない。
【００１４】
コンタクト１２は、ランス１２ｆを有するソケット部１２ｅの後方にプレート状の連結部１２ａを有し、連結部１２ａに開放部材１３の基部１３ａを挿入支持する左右一対の爪部１２ｂを形成してある。
【００１５】
結線金具の組立ては、図３にて結線弾性部材１１の後方から芯線挿入部１１ｃの開口部に開放部材１３の基部１３ａを差し込む。
この際に立設片１３ｂの上部を弾性片１１ｂの結線部１１ｄが乗りこえるように差し込む。
次にコンタクト１２の連結部１２ａの後端を結線弾性部材１１のベース部１１ａと開放部材１３の基部１３ａとの間に差し込み、開放部材１３の基部１３ａの左右端部を左右の爪部１２ｂに保持する。
この際にコンタクト１２の連結部１２ａに設けた係止孔１２ｄと、結線弾性部材１１のベース部１１ａに設けたランス１１ｆが相互に係止する。
また、開放部材１３の基部１３ａの後端に設けた引掛部１３ｆが弾性片１１ｂの芯線挿入部１１ｃの開口部の左右端部に干渉するとともに、基部１３ａに設けた係止孔１３ｄとコンタクト１２の連結部１２ａに設けたランス１２ｃとが相互に係止する。
この結線金具を図１に示すようなハウジング２０に組み込むには、コンタクト１２のソケット部１２ｅをランス１２ｆにてハウジング２０側にランス係止し、コンタクト１２の連結部１２ａに前記結線弾性部材１１と開放部材１３を組み込む。
【００１６】
ハウジング２０は、図１に示すように結線金具を収容するための筒状の収容部２１の上部に確認窓部２２を形成し、後方にシール性の蓋体３０を取り付けてある。
蓋体３０には、ケーブルの挿入部３１とゴム材等のシール片３２を有する。
ケーブル１の芯線１ａを図１（ａ）に示すように、蓋体３０の挿入部３１から差し込むと、芯線１ａが図２（ａ），（ｂ）に示すように左右の立設片１３ｂの間に挿入される。
この時は、図１（ａ），図２（ａ）に示すように、弾性片１１ｂの結線部１１ｄが立設片１３ｂの上部に設けた凹部状の接点受け部１３ｃに仮受けされた開放状態に規制されている。
これにより、図１（ｂ），図２（ｂ）に示すように芯線１ａがコンタクト１２のソケット部１２ｅ側まで差し込まれる。
本実施例では、芯線１ａが開放部材１３の弾性補助接点部１３ｅに弾性接触するようなっている。
図１（ｂ）に示すように確認窓部２２から芯線１ａが差し込まれたことを確認し、図１（ｂ）に矢印で表したようにドライバー等の工具の先で操作部１１ｅを後方に押しやり、結線部１１ｄを立設片１３ｂの接点受け部１３ｃから外す。
すると、図１（ｃ），図２（ｃ）に示すようにその弾性復帰力にて結線部１１ｄが芯線１ａの側部にくい込み、芯線１ａが抜けない状態に結線される。
本実施例では、この結線部１１ｄが開放部材１３の基部１３ａを介してコンタクト１２の連結部１２ａと芯線１ａを挟持結線した例を示すが、直接的にコンタクト１２側の連結部１２ａと結線部１１ｄとで芯線１ａを挟持してもよい。
図５に示すようにカバー部材は、上カバー部材４０と下カバー部材４１とが左右の一方にて４５（４５ａ，４５ｂ）相互に枢着してあり、他方のロック爪４６（４６ａ，４６ｂ）にて相互に係止するようになっている。
その断面図を図４（ａ）に示す。
上カバー部材４０と下カバー部材４１とでハウジング２０を覆い、下カバー部材４１に設けた係止部４３と上カバー部材４０に設けたスプリング４４にてケーブル１の被覆部を保持し、上カバー部材４０が確認窓部２２を塞ぐ。
ケーブル１を取り外す際には、図４（ｂ）に示すように上カバー部材４０を開き、確認窓部２２からドライバー２を挿入し、その先端部２ａを操作部１１ｅに差し込み、確認窓部２２の開口端部を支点にして弾性片１１ｂを持ち上げ、接点受け部１３ｃに仮受けさせる。
これにより結線部１１ｄが開放され、ケーブル１の芯線１ａを取り外すことができる。
図５（ｅ）には、プラグコネクタ５０のプラグコンタクト５１と接続した例を示し、ソーラーパネルのケーブル中継用であり、ソケットハウジング部２０ａの周囲にＯリングを設けた例になっている。
本発明に係るケーブルの結線構造は本実施例に限られず、各種コネクタへの結線構造に適用できる。
【符号の説明】
【００１７】
１        ケーブル
１ａ      芯線
１１      結線弾性部材
１１ａ    ベース部
１１ｂ    弾性片
１１ｃ    芯線挿入部
１１ｄ    結線部
１１ｅ    操作部
１２      コンタクト
１２ａ    連結部
１３      開放部材
１３ｂ    立設片
１３ｃ    接点受け部
【図１】
0005991301.tif 000002
【図２】
0005991301.tif 000003
【図３】
0005991301.tif 000004
【図４】
0005991301.tif 000005
【図５】
0005991301.tif 000006